(57)【要約】【課題】  操作部材のロックを解除する作業を容易に行うことができる、ファイル・バインダー類に綴じるための綴じ具を提供する。【解決手段】  この発明の綴じ具は、板状の台部材２２と、前記台部材２２上において被綴じ物Ｘを押圧して保持する押圧部を有する綴じ部材７０と、前記台部材２２上において、前記綴じ部材７０を移動させて被綴じ物Ｘを押圧するロック状態とロックを解除する状態とに移動可能に設けられた操作部材６０と、前記操作部材６０に連結されるとともに綴じ部材７０に連結され、被綴じ物Ｘを押圧する方向に綴じ部材７０を付勢するばね部材５０と、前記操作部材６０を被綴じ物Ｘを押圧するロック状態において固定する固定部２８とを含み、前記操作部材６０のロックを解除するときに、固定部２８より外す方向に操作部材６０を案内する案内部１２８が形成されている。【選択図】図１
2006341567.tif 000002
【特許請求の範囲】
【請求項１】
板状の台部材と、
前記台部材上において被綴じ物を押圧して保持する押圧部を有する綴じ部材と、
前記台部材上において、前記綴じ部材を移動させて被綴じ物を押圧するロック状態とロックを解除する状態とに移動可能に設けられた操作部材と、
前記操作部材に連結されるとともに綴じ部材に連結され、被綴じ物を押圧する方向に綴じ部材を付勢するばね部材と、
前記操作部材を被綴じ物を押圧するロック状態において固定する固定部とを含み、
前記操作部材のロックを解除するときに、固定部より外す方向に操作部材を案内する案内部が形成された、綴じ具。
【請求項２】
前記案内部は、操作部材に接し且つ固定部より外す方向に操作部材を案内するために形成された、請求項１に記載の綴じ具。
【請求項３】
前記案内部は、操作部材が摺動して操作部材を案内するために形成された、請求項１又は２に記載の綴じ具。
【請求項４】
前記案内部は、倒伏位置にてロックされた操作部材のロックを解除するために、操作部材を倒伏位置より下方向に向けて案内するように形成された、綴じ具。
【請求項５】
前記ばね部材の端部は、操作部材を倒伏位置にて固定する固定部に向けて操作部材の自由端を上げるように操作部材に固定され、
前記案内部は、前記操作部材のロックを解除するための操作部より下部において、操作部材に接し且つ操作部材を倒伏位置より下方向に向けて案内する案内面部又は案内線部が形成された、請求項１ないし４のいずれかに記載の綴じ具。
【請求項６】
前記ばね部材の端部は、操作部材を倒伏位置にて固定する固定部に向けて操作部材の自由端を上げるように操作部材に固定され、
前記案内部は、前記固定部より下部において設けられた、操作部材を摺動させる傾斜部である、請求項１ないし５のいずれかに記載の綴じ具。
【請求項７】
前記ばね部材の端部は、操作部材を倒伏位置にて固定する固定部に向けて操作部材の自由端を上げるように操作部材に固定され、
前記案内部は、前記固定部の下部から台部材の上面に向けて傾斜し、綴じ部材側に向かうに従って下がるように形成された、請求項１ないし６のいずれかに記載の綴じ具。
【請求項８】
前記操作部材は、回動する方向に沿って形成された側壁を備え、
前記側壁は、案内部の上面を摺動するように形成された、請求項１ないし７のいずれかに記載の綴じ具。
【請求項９】
前記固定部及び案内部は、前記軸を固定する軸受部に設けられた、請求項１ないし８のいずれかに記載の綴じ具。
【請求項１０】
前記ばね部材は、前記台部材上に固定された軸の外周に装着された巻線部と、前記巻線部から綴じ部材側に延びる第１端部と、前記巻線部から操作部材側に延びる第２端部とを有し、
前記ばね部材の第２端部は、操作部材を倒伏位置にて固定する固定部に向けて操作部材の自由端を押し上げるように操作部材に固定され、
前記固定部は、綴じ部材を被綴じ物に向けて押し下げるために基板に固定する軸を枢軸として操作部材の自由端を降下させた後上昇した操作部材を係止するために操作部材側に向けて突き出るように台部材に設けられ、
前記案内部は、前記固定部から外すために、前記第２端部の押し上げ力に抗して押し下げられ始めた操作部材を案内するために、前記第２端部を通る垂直平面に交差する方向である斜め下方に向けて突き出るように形成された、請求項９に記載の綴じ具。
【請求項１１】
前記固定部及び案内部は、前記操作部材の側壁に設けられた、請求項１ないし８のいずれかに記載の綴じ具。
【発明の詳細な説明】
【技術分野】
【０００１】
この発明は、綴じ具に関し、特に、例えば、操作レバーを回動操作することにより、台部材と綴じ部材との間に紙葉類を挟み込んでファイル・バインダ類に綴じるための綴じ具に関する。
【背景技術】
【０００２】
従来、ファイル・バインダー類に用箋等の被綴じ物を穴を開けずに綴じる綴じ具として、Ｚ式金具が一般的である。
このＺ式金具、すなわち綴じ具１は、図４３に示すようなファイル・バインダー類を構成する表紙の背表紙に沿って取り付けられる基板２を含み、基板２の幅方向の一端側に軸受板３が直立して設けられている。軸受板３には、基板２に対して垂直な平面内で回動可能に、操作レバー４が軸支されている。さらに、操作レバー４の回動と連動して基板２に対して接近離間する押え板５が設けられる。押え板５と操作レバー４との間には、操作レバー４を操作したときに、押え板５を基板２側に付勢するためのばね部材６が設けられている。このばね部材６を挟んで両側に、クランク７が取り付けられる。クランク７は、軸受板３と押え板５との間に掛け渡され、押え板５が基板２に対してほぼ平行な姿勢で基板２に接近離間するようにしている。押え板５は、逆Ｕ字状の断面形状を有し、幅方向の両側で書類などの被綴じ物を押える構成となっている。
このような綴じ具１では、操作レバー４を操作することにより、押え板５が軸受板３に沿って移動しながら基板２方向に変位し、操作レバー４の係合突起４ａを軸受板３の係止孔３ａに係止させて、書類などの被綴じ物を挟み込んで保持することができる（特許文献１の従来技術の説明及び図７参照）。
【０００３】
【特許文献１】特開平７−２４６７９４号公報
【発明の開示】
【発明が解決しようとする課題】
【０００４】
しかしながら、このような綴じ具１では、紙葉類などの被綴じ物の挟み込み及びその解除作業を行う場合、操作レバー４を倒伏させる方向と操作レバー４の係合凸起４ａを軸受板３の係止孔３ａに出し入れする方向、すなわち、直交する二方向の力を同時に付与しなければならない。これにより、操作レバー４の操作方向が二方向となって前記作業が煩雑になるばかりでなく、操作レバー４を倒伏する際のばね部材６の反発力が指先に強く付与されることとなり、低学年児等が使用する場合の負担が重くなるという不都合を招来する。
【０００５】
この発明の主たる目的は、操作部材のロックを解除する作業を容易に行うことができる、ファイル・バインダー類に綴じるための綴じ具を提供することである。
【課題を解決するための手段】
【０００６】
この発明の請求項１にかかる綴じ具は、板状の台部材と、前記台部材上において被綴じ物を押圧して保持する押圧部を有する綴じ部材と、前記台部材上において、前記綴じ部材を移動させて被綴じ物を押圧するロック状態とロックを解除する状態とに移動可能に設けられた操作部材と、前記操作部材に連結されるとともに綴じ部材に連結され、被綴じ物を押圧する方向に綴じ部材を付勢するばね部材と、前記操作部材を被綴じ物を押圧するロック状態において固定する固定部とを含み、前記操作部材のロックを解除するときに、固定部より外す方向に操作部材を案内する案内部が形成された、綴じ具である。
この発明の請求項２にかかる綴じ具は、前記案内部は、操作部材に接し且つ固定部より外す方向に操作部材を案内するために形成された、請求項１に記載の綴じ具である。
この発明の請求項３にかかる綴じ具は、前記案内部は、操作部材が摺動して操作部材を案内するために形成された、請求項１又は２に記載の綴じ具である。
この発明の請求項４にかかる綴じ具は、前記案内部は、倒伏位置にてロックされた操作部材のロックを解除するために、操作部材を倒伏位置より下方向に向けて案内するように形成された、綴じ具である。
この発明の請求項５にかかる綴じ具は、前記ばね部材の端部は、操作部材を倒伏位置にて固定する固定部に向けて操作部材の自由端を上げるように操作部材に固定され、前記案内部は、前記操作部材のロックを解除するための操作部より下部において、操作部材に接し且つ操作部材を倒伏位置より下方向に向けて案内する案内面部又は案内線部が形成された、請求項１ないし４のいずれかに記載の綴じ具である。
この発明の請求項６にかかる綴じ具は、前記ばね部材の端部は、操作部材を倒伏位置にて固定する固定部に向けて操作部材の自由端を上げるように操作部材に固定され、前記案内部は、前記固定部より下部において設けられた、操作部材を摺動させる傾斜部である、請求項１ないし５のいずれかに記載の綴じ具である。
この発明の請求項７にかかる綴じ具は、前記ばね部材の端部は、操作部材を倒伏位置にて固定する固定部に向けて操作部材の自由端を上げるように操作部材に固定され、前記案内部は、前記固定部の下部から台部材の上面に向けて傾斜し、綴じ部材側に向かうに従って下がるように形成された、請求項１ないし６のいずれかに記載の綴じ具である。
この発明の請求項８にかかる綴じ具は、前記操作部材は、回動する方向に沿って形成された側壁を備え、前記側壁は、案内部の上面を摺動するように形成された、請求項１ないし７のいずれかに記載の綴じ具である。
この発明の請求項９にかかる綴じ具は、前記固定部及び案内部は、前記軸を固定する軸受部に設けられた、請求項１ないし８のいずれかに記載の綴じ具である。
この発明の請求項１０にかかる綴じ具は、前記ばね部材は、前記台部材上に固定された軸の外周に装着された巻線部と、前記巻線部から綴じ部材側に延びる第１端部と、前記巻線部から操作部材側に延びる第２端部とを有し、前記ばね部材の第２端部は、操作部材を倒伏位置にて固定する固定部に向けて操作部材の自由端を押し上げるように操作部材に固定され、前記固定部は、綴じ部材を被綴じ物に向けて押し下げるために基板に固定する軸を枢軸として操作部材の自由端を降下させた後上昇した操作部材を係止するために操作部材側に向けて突き出るように台部材に設けられ、前記案内部は、前記固定部から外すために、前記第２端部の押し上げ力に抗して押し下げられ始めた操作部材を案内するために、前記第２端部を通る垂直平面に交差する方向である斜め下方に向けて突き出るように形成された、請求項９に記載の綴じ具である。
この発明の請求項１１にかかる綴じ具は、前記固定部及び案内部は、前記操作部材の側壁に設けられた、請求項１ないし８のいずれかに記載の綴じ具である。
【発明の効果】
【０００７】
この発明によれば、板状の台部材と、前記台部材上において被綴じ物を押圧して保持する押圧部を有する綴じ部材と、前記台部材上において、前記綴じ部材を移動させて被綴じ物を押圧するロック状態とロックを解除する状態とに移動可能に設けられた操作部材と、前記操作部材に連結されるとともに綴じ部材に連結され、被綴じ物を押圧する方向に綴じ部材を付勢するばね部材と、前記操作部材を被綴じ物を押圧するロック状態において固定する固定部とを含み、前記操作部材のロックを解除するときに、固定部より外す方向に操作部材を案内する案内部が形成されているので、ロックを解除するとき操作部材の係止する方向とは逆方向に向けて誤ることなく操作部材を操作でき、操作部材のロックを解除する作業を容易に行うことができる。
請求項２の発明によれば、前記案内部は、操作部材に接し且つ固定部より外す方向に操作部材を案内するために形成されているので、ロックを解除するとき操作部材の係止する方向とは逆方向に向けて誤ることなく操作部材を操作でき、操作部材のロックを解除する作業を容易に行うことができる。
請求項３の発明によれば、前記案内部は、操作部材が摺動して操作部材を案内するために形成されているので、ロックを解除するとき、操作部材が案内部を摺動して案内され、操作部材の操作方向を誤ることなく操作部材を操作でき、操作部材のロックを解除する作業を容易に行うことができる。
請求項４の発明によれば、前記案内部は、倒伏位置にてロックされた操作部材のロックを解除するために、操作部材を倒伏位置より下方向に向けて案内するように形成されているので、ロックを解除するとき、操作部材の操作方向を誤ることなく操作部材を操作でき、操作部材のロックを解除する作業を容易に行うことができる。
請求項５の発明によれば、前記ばね部材の端部は、操作部材を倒伏位置にて固定する固定部に向けて操作部材の自由端を上げるように操作部材に固定され、前記案内部は、前記操作部材のロックを解除するための操作部より下部において、操作部材に接し且つ操作部材を倒伏位置より下方向に向けて案内する案内面部又は案内線部が形成されているので、ロックを解除するとき、案内面部又は案内線部に沿って、操作部材の操作方向を誤ることなく操作部材を操作でき、操作部材のロックを解除する作業を容易に行うことができる。
請求項６の発明によれば、前記ばね部材の端部は、操作部材を倒伏位置にて固定する固定部に向けて操作部材の自由端を上げるように操作部材に固定され、前記案内部は、前記固定部より下部において設けられた、操作部材を摺動させる傾斜部であるので、ロックを解除するとき、操作部材を傾斜部に沿って摺動させて操作でき、操作部材の操作方向を誤ることなく操作部材を操作でき、操作部材のロックを解除する作業を容易に行うことができる。
請求項７の発明によれば、前記ばね部材の端部は、操作部材を倒伏位置にて固定する固定部に向けて操作部材の自由端を上げるように操作部材に固定され、前記案内部は、前記固定部の下部から台部材の上面に向けて傾斜し、綴じ部材側に向かうに従って下がるように形成されているので、ロックを解除するとき、操作部材を傾斜に沿って摺動させて操作でき、操作部材の操作方向を誤ることなく操作部材を操作でき、操作部材のロックを解除する作業を容易に行うことができる。
請求項８の発明によれば、前記操作部材は、回動する方向に沿って形成された側壁を備え、前記側壁は、案内部の上面を摺動するように形成されているので、ロックを解除するとき、操作部材の側壁を案内部の上面に沿って摺動させて操作でき、操作部材の操作方向を誤ることなく操作部材を操作でき、操作部材のロックを解除する作業を容易に行うことができる。
請求項９の発明によれば、前記固定部及び案内部は、前記軸を固定する軸受部に設けられているので、軸受部を成形するときに同時に固定部と案内部とを成形でき、製造が容易となる。
請求項１０の発明によれば、前記ばね部材は、前記台部材上に固定された軸の外周に装着された巻線部と、前記巻線部から綴じ部材側に延びる第１端部と、前記巻線部から操作部材側に延びる第２端部とを有し、前記ばね部材の第２端部は、操作部材を倒伏位置にて固定する固定部に向けて操作部材の自由端を押し上げるように操作部材に固定され、前記固定部は、綴じ部材を被綴じ物に向けて押し下げるために基板に固定する軸を枢軸として操作部材の自由端を降下させた後上昇した操作部材を係止するために操作部材側に向けて突き出るように台部材に設けられ、前記案内部は、前記固定部から外すために、前記第２端部の押し上げ力に抗して押し下げられ始めた操作部材を案内するために、前記第２端部を通る垂直平面に交差する方向である斜め下方に向けて突き出るように形成されているので、ロックを解除するとき、操作部材の係止する方向とは逆方向に向けて誤ることなく操作部材を操作でき、操作部材のロックを解除する作業を容易に行うことができる。
請求項１１の発明によれば、前記固定部及び案内部は、前記操作部材の側壁に設けえられているので、操作部材を成形するときに同時に固定部と案内部とを成形でき、製造が容易となる。
【０００８】
この発明の上述の目的、その他の目的、特徴および利点は、図面を参照して行う以下の発明を実施するための最良の形態の説明から一層明らかとなろう。
この発明の説明において、ファイルの手前側を前側または下側といい、向こう側を向こう側または上側という。
【発明を実施するための最良の形態】
【０００９】
図１は、この発明の綴じ具の一例を示す斜視図であり、図２は、図１に示す綴じ具を閉じた状態を示す斜視図であり、図３は、図１に示す綴じ具を開いた状態を示す側面図解図であり、図４は、図１に示す綴じ具を閉じた状態を示す側面図解図であり、図５は、図１に示す綴じ具の分解斜視図である。図６ないし図９は、図１に示す綴じ具の案内部を示す正断面図解図である。
綴じ具２０は、金属製薄板によって形成される台部材を構成する板状本体たる基板２２を含む。基板２２は、基板２２の幅方向の一端側における直線状長手端縁に操作部材固定部たる軸受部を備え、軸受部は、図５に示すように、基板２２に対して直立する起立平面部を有する軸受板２４が一体的に形成されてなる。軸受板２４は、基板２２の長手方向の手前側端縁より向こう側端縁近傍に至るまで連続して形成された垂直状の板で形成される。軸受板２４の長手方向の一端側（向こう側）には、円形の貫通孔２６が形成され、軸受板２４の長手方向の他端側（手前側）には、後述の操作レバーを固定するための固定部たる固定用凸部２８が形成される。固定用凸部２８は、たとえば軸受板２４に４角形の孔を形成し、孔の上方部分を基板２２側に押し出すことにより形成される。
【００１０】
軸受板２４の貫通孔２６の形成部の向こう側近傍において、軸受板２４と適宜な間隔を隔てて基板２２の長手方向の一端側の角部が切り起こされ、枢支部３０が形成される。枢支部３０の主面は、軸受板２４の主面と直交するように形成される。この枢支部３０には、円形の貫通孔３２が形成される。さらに、固定用凸部２８の手前側近傍において、枢支部３０の主面に平行な面を有する別の枢支部３４が形成される。枢支部３４は、基板２２にＵ字状の切り込みを形成し、この部分を切り起こすことにより形成される。この枢支部３４には、円形の貫通孔３６が形成される。これらの枢支部３０と枢支部３４とは対向し、その貫通孔３２，３６を結ぶ線は、軸受板２４の基板２２側の主面に平行となるように配置される。
【００１１】
さらに、これらの枢支部３０と枢支部３４の間であって、枢支部３０の貫通孔３２と枢支部３４の貫通孔３６とを結ぶ線より軸受部２４から離れる側において、軸受板２４の面と平行な面を有する軸受部３８が形成される。この軸受部３８も、基板２２にＵ字状の切り込みを形成し、この部分を切り起こすことにより形成される。この軸受部３８には、円形の貫通孔４０が形成され、軸受板２４の貫通孔２６と軸受部３８の貫通孔４０とが対向するように配置される。すなわち、枢支部３０の貫通孔３２と枢支部３４の貫通孔３６とを結ぶ線と、軸受板２４の貫通孔２６と軸受部３８の貫通孔４０とを結ぶ線とが、互いに直交するように形成される。また、基板２２の幅方向の他端側には、２つの凸部４２が形成される。これらの凸部４２は、基板２２の長手方向に一定の間隔をおいて並んで形成される。そして、基板２２の長手方向の両側には、綴じ具２０をファイルなどに取り付けるための貫通孔４４が向こう側と手前側とに一対形成される。
【００１２】
軸受板２４の貫通孔２６と軸受部３８の貫通孔４０には、軸４６が挿通され、軸４６に捩りコイルばねからなるばね部材５０および操作部材を構成する操作レバー６０が取り付けられる。
ばね部材５０は、軸３８の外周に装着された巻線部５０ａと、前記巻線部５０ａの一端から軸受板２４の面に略平行に操作レバー６０側に延びる第２端部５０ｂと、前記巻線部５０ａから基板２２の幅方向で軸受板２４より離れ綴じ部材７０側方向に延びる第１端部５０ｃとを有する。
【００１３】
操作レバー６０は、金属板などによって長尺状に形成され、その強度を高めるために、横断面略Ｌ字状または横断面略Ｕ字状に形成され、軸受板２４側の第１垂直側壁６０ａと、第１垂直側壁６０ａと一定の間隔をおいて平行に形成された第２垂直側壁６０ｂとを備える。
操作レバー６０の長手方向の一端側における第１垂直側壁６０ａには、円形の貫通孔６２が形成される。そして、軸４６が、操作レバー６０の貫通孔６２とばね部材５０の巻線部５０ａに挿通するようにして、軸受板２４および軸受部３８に取り付けられる。ばね部材５０の第２端部５０ｂは、操作レバー６０の内側に沿って配置され、操作レバー６０の第１垂直側壁６０ａの一部を内側に折り曲げた折曲片６４によって固定される。
さらに、操作レバー６０の第１垂直側壁６０ａには、軸受板２４の固定用凸部２８に対応する位置に矩形の係合孔６６が形成される。係合孔６６は、固定用凸部２８とともに固定部を構成し、この係合孔６６に固定用凸部２８が嵌め込まれ、係合孔６６の下端縁６６ａ1が固定用凸部２８の下端縁２８ａに係合されることにより、操作レバー６０が軸受板２４に固定される。また、操作レバー６０の長手方向の他端側は、幅広の操作部６０ｃが形成され、指で操作しやすくなっている。
固定用凸部２８は、綴じ部材７０を被綴じ物Ｘに向けて押し下げるために操作レバー６０の自由端を軸４６を枢軸として降下させたとき、固定用凸部２８の下端縁２８ａよりもより下に一旦下降した操作レバー６０がわずかに上昇して、係合孔６６の下端縁６６ａ1が係止されるように構成されている。
なお、固定用凸部２８は、操作レバー６０の第１垂直側壁６０ａ及び第２垂直側壁６０ｂが基板２２の表面に達する前に、操作レバー６０の係合孔６６から外れる幅を有している。
【００１４】
前記操作レバー６０の操作部６０ｃより垂直下において、操作レバー６０を基板２２に向けて押し下げてロックを解除するときに操作レバー６０に接し、且つ固定用凸部２８より外す方向に基板２２に向けて案内する案内部１２８が形成されている。
一方、第１垂直側壁６０ａの係合孔６６は、その上端縁６６ａ2が、ロック状態に係止された操作レバー６０をロックを解除するために押し下げたとき、固定用凸部２８の最上部２８ｂに突き当たらないで第１垂直側壁６０ａの下端縁６０ａ1が案内部１２８の最上部１２８ａに接するように、開口されている。
【００１５】
前記案内部１２８は、前記軸４６を固定する軸受板２４の起立平面の内側面より突き出して設けられ、前記固定用凸部２８の下部から基板２２の上面に向けて傾斜し、綴じ部材７０側に向かうに従って下がるように形成されている。
案内部１２８は、操作レバー６０を案内部１２８に沿って摺動させて下降させたとき、第１垂直側壁６０ａの係合孔６６が固定用凸部２８より外れる位置まで案内することをできるように、固定用凸部２８の突出した幅よりも長い突出した幅を備え、稜線部が軸受板２４から操作レバー６０側に延びる山形の案内線部を有している。
また、案内部１２８は、固定用凸部２８の垂直下において、操作レバー６０の係合孔６６の下端縁６６ａ1と操作レバー６０の第１垂直側壁６０ａの下端縁６０ａ1との間の長さよりも、より下方に下がった位置より突設されている。
そして、案内部１２８は、固定用凸部２８から外すために、ばね部材５０の第２端部５０ｂの押し下げ力に抗して押し下げられ始めた操作レバー６０を案内するために、第２端部５０ｂを通る垂直平面に交差する方向である斜め下方に向けて突き出るように形成され、案内部１２８の下端は、基板２２の上面に近い位置にまで達している。
【００１６】
この実施の形態においては、案内部１２８は、固定用凸部２８と同様に、平面板状の軸受板２４に例えばコの字型の孔を打ち抜き、コの字型の打ち抜き孔の内部を操作レバー６０側に打ち出し、山形に成形されている。
案内部１２８は、操作レバー６０の第１垂直側壁６０ａの下端縁６０ａ1と接し案内する案内部すなわち稜線部が上方に突出した線状であるが、これに代えて摺動し易い面状の案内面部を形成してもよい。
【００１７】
さらに、基板２２上には、平面視略長方形状の綴じ部材７０が、基板２２の長手方向に延びて軸受板２４と平行に取り付けられる。綴じ部材７０は、たとえば１枚の金属板によって形成される。綴じ部材７０は、たとえば枢支部３０，３４の距離に略等しい長さを有し、幅方向において上方に向けて膨らむように湾曲する形状（断面半円弧状）に形成される。
そして、綴じ部材７０の幅方向の軸受板２４側において、その長手方向の両側に突出する枢軸たる突出片７２が形成される。これらの突出片７２が、枢軸受けたる枢支部３０の貫通孔３２および枢支部３４の貫通孔３６に嵌め込まれる。したがって、綴じ部材７０は、２つの突出片７２を結ぶ線を回転中心として回動可能となっている。なお、突出片７２の強度を高め、貫通孔３２，３６内で突出片７２が回転しやすいように、突出片７２は幅方向に屈曲するように形成される。このように、綴じ部材７０から突出する突出片７２を枢支部３０，３４の貫通孔３２，３６に嵌め込むことにより、別部品たる回転軸などを用いて綴じ部材７０を回動可能に保持する場合に比べて、部品数を少なくすることができる。
【００１８】
また、綴じ部材７０の幅方向における軸受板２４の反対側は、上述の回転中心側（突出片７２側）に向かって折り曲げられ、折曲部７４が形成される。折曲部７４は、綴じ部材７０の手前側端縁より向こう側端縁に至るまで連続して形成される。さらに、折曲部７４の先端側が基板２２側に向かって折り曲げられ、書類などの被綴じ物Ｘを押えるための押圧部７６が形成される。押圧部７６は、折曲部７４の手前側端縁より向こう側端縁に至るまで連続して形成される。押圧部７６は、綴じ部材７０が基板２２側に閉じた状態のときに、折曲部７４から基板２２に向かうにしたがって、綴じ部材７０の回転中心側に傾斜するように形成される。したがって、折曲部７４と押圧部７６とは、略Ｌ字状に連設される。この押圧部７６によって、書類などの被綴じ物Ｘが１本の直線状に押圧される。ここで、綴じ部材７０が基板２２側に閉じた状態のときに、折曲部７４は綴じ部材７０の端部側から綴じ部材７０の内側に向けて上昇する。
【００１９】
ばね部材５０の第２端部５０ｂは、巻線部５０ａの軸受板２４側でその向こう側の上端より手前側に直線状に延び、その先端が外力を受けないときは、その先端が手前側に斜め上方に向けて延びるように形成されている。
第１端部５０ｃは、巻線部５０ａの軸受部３８側でその手前側の下端より軸受板２４とは反対側に延びた略Ｌ字状で、外力を受けないときは、上方に延びた立ち上がり部５０ｄの上端から斜め上方に架け渡し部５０ｅが延び、架け渡し部５０ｅの自由端側に水平方向に屈曲した係止部５０ｆが突設されている。
【００２０】
折曲部７４には、矩形の貫通孔７８が形成され、ばね部材５０の第１端部５０ｃが上から嵌め込まれ、ばね部材５０の第１端部５０ｃの先端部が折り曲げられて貫通孔７８から外れないようにされている。この実施の形態においては、貫通孔７８は、綴じ部材７０の前後端に形成された突出片７２の間において、軸４６に巻装された巻線部５０ａに近い位置に形成されている。さらに、押圧部７６には、書類などの被綴じ物Ｘを押さえ付けたときの力による変形を防ぐために、直線状のリブ８０が形成されている。
【００２１】
ばね部材５０の先端部（係止部５０ｆ）は、図３及び４において示すように、綴じ部材７０が閉じた状態のときと開いた状態のときのいずれのときにも、基板２２の幅方向における位置は殆ど変わらない。そして、綴じ部材７０が綴じる書類などの被綴じ物Ｘを押圧して操作レバー６０を固定用凸部２８に係止させたときには、ばね部材５０の第１端部５０ｃが屈曲状態から伸びた状態になるとともに先端部（係止部５０ｆ）がねじれて係止部５０ｆが水平状態から下向きに変形するが、このばね部材５０の変形状態を許容できるように、貫通孔７８が折曲部７４の長手方向及び幅方向に延びている。
【００２２】
なお、押圧部７６によって押圧される部分は、１本の直線状に限らず、図１０に示すように、押圧部７６の長手方向の両端部で押圧されてもよい。この場合、押圧部７６の先端においては、長手方向の両端部から中央部に向かうにしたがって凹むような形状に形成される。また、図１１に示すように、押圧部７６の長手方向の複数個所の凹部を形成し、直線上の複数の点で書類など被綴じ物Ｘを押圧してもよい。さらに、直線上の複数個所で書類などの被綴じ物Ｘを押圧する場合、図１２に示すように、点ではなく線状に押圧してもよい。このように、押圧部７６で押圧する部分は、１本の直線状であってもよいし、直線上の複数個所における点または線状の部分であってもよい。
【００２３】
このような綴じ具２０は、たとえば基板２２に形成された貫通孔４４に取付用金具などを挿通することにより、ファイルなどに取り付けられる。そして、操作レバー６０を操作することにより、綴じ部材７０を開閉することができる。ここで、図１に示すように、操作レバー６０を上げることにより、ばね部材５０の他方側５０ｃが綴じ具２０を持ち上げ、基板２２と綴じ部材７０の押圧部７６との間に隙間が生じる。この隙間に書類などの被綴じ物Ｘが挿入され、操作レバー６０を下げることにより、綴じ部材７０が閉じて、押圧部７６によって書類などの被綴じ物Ｘが基板２２に向かって押し付けられる。つまり、操作レバー６０を下げることにより、ばね部材５０の巻線部５０ａが締め付けられ、ばね部材５０の第１端部５０ｃによって、押圧部７６が基板２２方向に付勢される。
【００２４】
このとき、図１３に示すように、書類などの被綴じ物Ｘに対して、押圧部７６が斜めに押し付けられる。そして、書類などの被綴じ物Ｘを引き抜くような力が加わったとき、押圧部７６の傾斜方向とは逆向きの力が加わるとともに、折曲部７４および押圧部７６の屈曲部分をさらに屈曲させる向きの力が加わる。このような折曲部７４および押圧部７６の変形が元に戻ろうとする力により、押圧部７６から書類などの被綴じ物Ｘの引き抜きに対して抵抗力となるような力が加わり、書類などの被綴じ物Ｘが綴じ具２０から外れにくくなる。
【００２５】
さらに、押圧部７６が折曲部７４から基板２２側に向かうにしたがって綴じ部材７０の回転中心側に向かうように傾斜しているため、図１４に示すように、書類などの被綴じ物Ｘが厚くなっても、書類などの被綴じ物Ｘが薄いときと比してやや立ちぎみとはなるが、押圧部７６は書類などの被綴じ物Ｘの面に対して直交する位置にはなりにくく、書類などの被綴じ物Ｘの抜け落ちに対する抵抗力を保つことができる。
【００２６】
なお、押圧部７６の形状としては、綴じ部材７０の端部を折り曲げた形状に限らず、図１５に示すように、湾曲する板状の綴じ部材７０の先端部を押圧部７６としてもよい。この場合、綴じ部材７０の断面形状を半円形などの形状にしておけば、図１６に示すように、書類などの被綴じ物Ｘが厚みに関係なく、書類などの被綴じ物Ｘの面に対する押圧部７６の角度にあまり変わりはない。そのため、綴じ部材７０の全体で書類などの被綴じ物Ｘの引き抜き方向にかかる力に対抗することができ、書類などの被綴じ物Ｘが外れにくくなる。それに対して、図１７に示すように、綴じ部材７０の断面形状が矩形に折り曲げられた形状である場合、書類などの被綴じ物Ｘが厚くなると、押圧部７６が書類などの被綴じ物Ｘの引き抜き方向に傾斜するため、書類などの被綴じ物Ｘの引き抜き方向にかかる力に対する抵抗力が弱く、書類などの被綴じ物Ｘが外れやすくなる。したがって、綴じ部材７０の先端部を折り曲げないで押圧部７４とする場合、綴じ部材７０の断面形状は、半円形などのような湾曲した形状にすることが好ましい。
【００２７】
また、綴じ部材７０を折り曲げて押圧部７６とする場合、図１８に示すように、１回だけ綴じ部材７０の先端部を回転中心側に折り曲げて押圧部７６としてもよい。この場合、折曲部７４は形成されないが、書類などの被綴じ物Ｘを引き抜くような力が加わったときに、押圧部７６の傾斜方向とは逆向きの力が加わり、押圧部７６が起き上がるように変形する。そのため、押圧部７６の変形が元に戻ろうとする力により、書類などの被綴じ物Ｘの引き抜きに対して抵抗力を得ることができる。なお、図１５、図１７、図１８などに示すような押圧部７６を有する綴じ具２０においても、図６ないし図８に示すように、押圧部７６で押圧する部分は、１本の直線状であってもよいし、直線上の複数個所における点または線状の部分であってもよい。
【００２８】
綴じ部材７０を開いたとき、図１９（Ａ）（Ｂ）に示すように、基板２２からの押圧部７６の高さＨが同じであれば、綴じ部材７０の幅が大きいほうが、基板２２の面上において、閉じたときの位置とのずれＸが小さくなる。そのため、書類などの被綴じ物Ｘを綴じるときに、綴じ部材７０が開いたときの押圧部７６の位置から書類などの被綴じ物Ｘの綴じ位置までの誤差が少なく、書類などの被綴じ物Ｘの綴じ込みを容易にすることができる。
【００２９】
前記実施の形態においては、ばね部材５０の綴じ部材７０への固定側の端部５０ｃが、軸受板２４に近い位置に形成されたが、押圧部７６の長手方向において全体的に力が加わるようにするために、折曲部７４の長手方向における中央近傍においてばね部材５０の綴じ部材７０への固定側の端部５０ｃが固定されるようにしてもよい。
【００３０】
このように、この発明の一実施の形態である綴じ具２０では、綴じ部材７０が書類などの被綴じ物Ｘの綴じ位置で動作するため、書類の所定の位置で正確に保持することが可能である。さらに、ばね部材５０によって、綴じ部材７０の先端側の押圧部７６近傍が付勢されるため、操作レバー６０を操作することにより力が効率的に押圧部７６に加わり、書類などの被綴じ物Ｘが外れにくくなる。
【００３１】
この発明は、前記実施の形態にかぎらず、この発明の思想に基づき種々変更することが可能である。
次に、前記図１ないし図９図示実施の形態の変形例について説明する。
図２０は、この発明の綴じ具の一例を示す斜視図であり、図２１は、この綴じ具を閉じた状態を示す斜視図であり、図２２は、綴じ具を開いた状態を示す側面図解図であり、図２３は、綴じ具を閉じた状態を示す側面図解図であり、図２４は、図２０に示す綴じ具の分解斜視図である。図２５ないし図２８は、図２０に示す綴じ具の案内部を示す正断面図解図である。
綴じ具２２０は、金属製薄板によって形成される台部材を構成する板状本体たる基板２２２を含む。基板２２２は、基板２２２の幅方向の一端側における直線状長手端縁に操作部材固定部たる軸受部を備え、軸受部は、図５に示すように、基板２２２に対して直立する起立平面部を有する軸受板２２４が一体的に形成されてなる。軸受板２２４は、基板２２２の長手方向の手前側端縁より向こう側端縁近傍に至るまで連続して形成された垂直状の板で形成される。軸受板２２４の長手方向の一端側（向こう側）には、円形の貫通孔２２６が形成され、軸受板２２４の長手方向の他端側（手前側）には、後述の操作レバーを固定するための固定部たる固定用凸部２２８が形成される。固定用凸部２２８は、たとえば軸受板２２４に４角形の孔を形成し、孔の上方部分を基板２２２側に押し出すことにより形成される。
【００３２】
軸受板２２４の貫通孔２２６形成部の向こう側近傍において、軸受板２２４と適宜な間隔を隔てて基板２２２の長手方向の第２端部の角部が切り起こされ、枢支部２３０が形成される。枢支部２３０の主面は、軸受板２２４の主面と直交するように形成される。この枢支部２３０には、円形の貫通孔２３２が形成される。さらに、固定用凸部２２８の手前側近傍において、枢支部２３０の主面に平行な面を有する別の枢支部２３４が形成される。枢支部２３４は、基板２２２にＵ字状の切り込みを形成し、この部分を切り起こすことにより形成される。この枢支部２３４には、円形の貫通孔２３６が形成される。これらの枢支部２３０と枢支部２３４とは対向し、その貫通孔２３２，２３６を結ぶ線は、軸受板２２４の基板２２２側の主面に平行となるように配置される。
【００３３】
さらに、これらの枢支部２３０と枢支部２３４の間であって、枢支部２３０の貫通孔２３２と枢支部２３４の貫通孔２３６とを結ぶ線より軸受部２２４から離れる側において、軸受板２２４の面と平行な面を有する軸受部２３８が形成される。この軸受部２３８も、基板２２２にＵ字状の切り込みを形成し、この部分を切り起こすことにより形成される。この軸受部２３８には、円形の貫通孔２４０が形成され、軸受板２２４の貫通孔２２６と軸受部２３８の貫通孔２４０とが対向するように配置される。すなわち、枢支部２３０の貫通孔２３２と枢支部２３４の貫通孔２３６とを結ぶ線と、軸受板２２４の貫通孔２２６と軸受部２３８の貫通孔２４０とを結ぶ線とが、互いに直交するように形成される。また、基板２２２の幅方向の他端側には、２つの凸部２４２が形成される。これらの凸部２４２は、基板２２２の長手方向に一定の間隔をおいて並んで形成される。そして、基板２２２の長手方向の両側には、綴じ具２２０をファイルなどに取り付けるための貫通孔２４４が向こう側と手前側とに一対形成される。
【００３４】
軸受板２２４の貫通孔２２６と軸受部２３８の貫通孔２４０には、軸２４６が挿通され、軸２４６に捩りコイルばねからなるばね部材２５０および操作部材を構成する操作レバー２６０が取り付けられる。
ばね部材２５０は、軸２３８の外周に装着された巻線部２５０ａと、前記巻線部２５０ａの一端から軸受板２２４の面に略平行に操作レバー２６０側に延びる第２端部２５０ｂと、前記巻線部２５０ａから基板２２２の幅方向で軸受板２２４より離れ綴じ部材２７０側方向に延びる第１端部２５０ｃとを有する。
【００３５】
ばね部材２５０の第２端部２５０ｂは、巻線部２５０ａの軸受板２２４側でその向こう側の上端より手前側に直線状に延び、その先端が力を受けないときは、その先端が手前側に斜め上方に向けて延びるように形成されている。
第１端部２５０ｃは、巻線部２５０ａの軸受部２３８側でその手前側の下端より軸受板２２４とは反対側に延びた略Ｌ字状で、力を受けないときは、上方に延びた立ち上がり部２５０ｄの上端から斜め上方に架け渡し部２５０ｅが延び、架け渡し部２５０ｅの自由端側に水平方向に屈曲した係止部２５０ｆが突設されている。
【００３６】
操作レバー２６０は、金属板などによって長尺状に形成され、その強度を高めるために、横断面略Ｌ字状または横断面略Ｕ字状に形成され、軸受板２２４側の第１垂直側壁２６０ａと、第１垂直側壁２６０ａと一定の間隔をおいて平行に形成された第２垂直側壁２６０ｂとを備える。
操作レバー２６０の長手方向の一端側における第１垂直側壁２６０ａには、円形の貫通孔２６２が形成される。そして、軸２４６が、操作レバー２６０の貫通孔２６２とばね部材２５０の巻線部２５０ａに挿通するようにして、軸受板２２４および軸受部２３８に取り付けられる。ばね部材２５０の第２端部２５０ｂは、操作レバー２６０の内側に沿って配置され、操作レバー２６０の第１垂直側壁２６０ａの一部を内側に折り曲げた折曲片２６４によって固定される。さらに、操作レバー２６０の第１垂直側壁２６０ａには、軸受板２２４の固定用凸部２２８に対応する位置に矩形の係合孔２６６が形成される。係合孔２６６は、固定用凸部２２８とともに固定部を構成し、この係合孔２６６に固定用凸部２２８が嵌め込まれ、係合孔２６６の下端縁が２６０ａ1固定用凸部２２８の下端縁２２８ａに係合されることにより、操作レバー２６０が軸受板２２４に固定される。また、操作レバー２６０の長手方向の他端側は、幅広の操作部２６０ｃが形成され、指で操作しやすくなっている。
固定用凸部２２８は、綴じ部材２７０を被綴じ物Ｘに向けて押し下げるために操作レバー２６０の自由端を軸２４６を枢軸として降下させたとき、固定用凸部２２８の下端縁２２８ａよりもより下に一旦下降した操作レバー２６０がわずかに上昇して、係合孔２６６の下縁縁２６６ａ1が係止されるように構成されている。
なお、固定用凸部２２８は、操作レバー２６０の第１垂直側壁２６０ａ及び第２垂直側壁２６０ｂが基板２２２の表面に達する前に、操作レバー２６０の係合孔２６６から外れる幅を有している。
【００３７】
前記操作レバー２６０の操作部２６０ｃより垂直下において、操作レバー２６０を基板２２２に向けて押し下げてロックを解除するときに操作レバー２６０に接し、且つ固定用凸部２２８より外す方向に基板２２に向けて案内する案内部３２８が形成されている。
一方、第１垂直側壁２６０ａの係合孔２６６は、その上端縁２６６ａ2が、ロック状態に係止された操作レバー２６０をロックを解除するために押し下げたとき、固定用凸部２２８の最上部１２８ａに突き当たらないで第１垂直側壁２６０ａの下端縁２６０ａ1が案内部３２８の最上部に接するように、開口されている。
【００３８】
前記案内部３２８は、前記軸２４６を固定する軸受板２２４の起立平面の内側面より突き出して設けられ、前記固定用凸部２２８の下部から基板２２２の上面に向けて傾斜し、綴じ部材２７０側に向かうに従って下がるように形成されている。
案内部３２８は、操作レバー２６０を案内部３２８に沿って摺動させて下降させたとき、第１垂直側壁２６０ａの係合孔２６６が固定用凸部２２８より外れる位置まで案内することをできるように、固定用凸部２２８の突出した幅よりも長い突出した幅を備え、稜線部が軸受板２２４から操作レバー２６０側に延びる山形の案内線部を有している。
また、案内部３２８は、固定用凸部２２８の垂直下において、操作レバー２６０の係合孔２６６の下端縁２６６ａ1と操作レバー２６０の第１垂直側壁２６０ａの下端縁２６０ａ1との間の長さよりも、より下方に下がった位置より突設されている。
そして、案内部３２８は、固定用凸部２２８から外すために、ばね部材２５０の第２端部２５０ｂの押し下げ力に抗して押し下げられ始めた操作レバー２６０を案内するために、第２端部２５０ｂを通る垂直平面に交差する方向である斜め下方に向けて突き出るように形成され、案内部３２８の下端は、基板２２２の上面に近い位置にまで達している。
【００３９】
この実施の形態においては、案内部３２８は、固定用凸部２２８と同様に、平面板状の軸受板２２４に例えばコの字型の孔を打ち抜き、コの字型の打ち抜き孔の内部を操作レバー２６０側に打ち出し、山形に成形されている。
案内部３２８は、操作レバー２６０の第１垂直側壁２６０ａの下端縁と接し案内する案内部すなわち稜線部が上方に突出した線状であるが、これに代えて摺動し易い面状の案内面部を形成してもよい。
【００４０】
さらに、基板２２２上には、平面視略長方形状の綴じ部材２７０が、基板２２２の長手方向に延びて軸受板２２４と平行に取り付けられる。綴じ部材２７０は、たとえば１枚の金属板によって形成される。綴じ部材２７０は、たとえば枢支部２３０，２３４の距離に略等しい長さを有し、幅方向において上方に向けて膨らむように屈曲する形状（断面略Ｌ字状）に形成される。
そして、綴じ部材２７０の幅方向の軸受板２２４側において、その長手方向の両側に突出する枢軸たる突出片２７２が形成される。これらの突出片２７２が、枢軸受けたる枢支部２３０の貫通孔２３２および枢軸受けたる枢支部２３４の貫通孔２３６に嵌め込まれる。したがって、綴じ部材２７０は、２つの突出片２７２を結ぶ線を回転中心として回動可能となっている。なお、突出片２７２の強度を高め、貫通孔２３２，２３６内で突出片２７２が回転しやすいように、突出片２７２は幅方向に屈曲するように形成される。このように、綴じ部材２７０から突出する突出片２７２を枢支部２３０，２３４の貫通孔２３２，２３６に嵌め込むことにより、別部品たる回転軸などを用いて綴じ部材２７０を回動可能に保持する場合に比べて、部品数を少なくすることができる。
【００４１】
また、綴じ部材２７０の幅方向における軸受板２２４の反対側は、上述の回転中心側（突出片２７２側）に向かって水平面に対して略２０°折り曲げられ、折曲部２７４が形成される。折曲部２７４は、綴じ部材２７０の手前側端縁より向こう側端縁に至るまで連続して形成される。さらに、折曲部２７４の先端側が基板２２２側に向かって折り曲げられ、書類などの被綴じ物Ｘを押えるための押圧部２７６が形成される。押圧部２７６は、折曲部２７４の手前側端縁より向こう側端縁に至るまで連続して形成される。押圧部２７６は、綴じ部材２７０が基板２２２側に閉じた状態のときに、折曲部２７４から基板２２２に向かうにしたがって、綴じ部材２７０の回転中心側に傾斜するように形成される。したがって、折曲部２７４と押圧部２７６とは、略Ｌ字状に連設される。この押圧部２７６によって、書類などの被綴じ物Ｘが１本の直線状に押圧される。ここで、綴じ部材２７０が基板２２２側に閉じた状態のときに、折曲部２７４は綴じ部材２７０の端部側から綴じ部材２７０の内側に向けて上昇する。
【００４２】
綴じ部材２７０は、図２９において示すように、突出片２７２側より軸受板２２４とは反対側の斜め上方に延びた立ち上がり部２７０ａと、立ち上がり部２７０ａの上端から斜め下方（水平面に対して略２２°）に向けて延びた架け渡し部２７０ｂと、架け渡し部２７０ｂの自由端に形成された折曲部２７４および押圧部２７６とを備え、前記立ち上がり部２７０ａと架け渡し部２７０ｂと折曲部２７４および押圧部２７６とは、一体形成されている。
架け渡し部２７０ｂの自由端には、綴じ部材２７０の手前側端縁より向こう側端縁に亘って斜め下方（垂直面に対して略１５°）に向けて折り曲げられて、屈曲部２７０ｃが形成されている。屈曲部２７０ｃの自由端には、折曲部２７４が連設され、折曲部２７４は、架け渡し部２７０ｂと一定の間隔をおいて略平行に形成され、書類などの被綴じ物Ｘを押えるときに架け渡し部２７０ｂ側に若干撓みつつ押圧部２７６が書類などの被綴じ物Ｘを押圧し得るように形成されている。
綴じ部材２７０の立ち上がり部２７０ａは、操作レバー２６０を固定用凸部２２８から外すことができるスペースを確保するように、軸受板２２４との間が上方に向かうに従って拡がる傾斜面（垂直面に対して略４５°傾斜した面）が形成されている。
【００４３】
ばね部材２５０は、第１端部２５０ｃが綴じ部材２７０の内面に近似した形状に形成され、ばね部材２５０の立ち上がり部２５０ｄが綴じ部材２７０の立ち上がり部２７０ａの内面近傍にそしてばね部材２５０の架け渡し部２５０ｅが綴じ部材２７０の架け渡し部２７０ｂの内面近傍に位置するように、綴じ部材２７０の内面側に設けられている。
【００４４】
折曲部２７４には、矩形の貫通孔２７８が形成され、ばね部材２５０の第１端部２５０ｃが架け渡し部２７０ｂ側より嵌め込まれ、ばね部材２５０の第１端部２５０ｃの先端部（係止部２５０ｆ）が折り曲げられて貫通孔２７８から外れないようにされている。この実施の形態においては、貫通孔２７８は、綴じ部材２７０の前後端に形成された突出片２７２の間において、軸２４６に巻装された巻線部２５０ａに近い位置に形成されている。さらに、押圧部２７６には、書類などの被綴じ物Ｘを押さえ付けたときの力による変形を防ぐために、直線状のリブ２８０が形成されている。
【００４５】
ばね部材２５０の先端部（係止部２５０ｆ）は、図３０において示すように、綴じ部材２７０が閉じた状態のときと開いた状態のときのいずれのときにも、基板２２２の幅方向における位置は殆ど変わらない。そして、綴じ部材２７０が綴じる書類などの被綴じ物Ｘを押圧して操作レバー２６０を固定用凸部２２８に係止させたときには、ばね部材２５０の第１端部２５０ｃが屈曲状態から伸びた状態になるとともに先端部（係止部２５０ｆ）がねじれて係止部２５０ｆが水平状態から下向きに変形するが、このばね部材２５０の変形状態を許容できるように、貫通孔２７８が折曲部２７４の長手方向及び幅方向に延びている。
【００４６】
基板２２２は、枢支部２３４の突出片２７２より外側において、綴じる書類などの被綴じ物Ｘの端縁を揃えるための軸受板２２４の面と平行な面を有する、用箋揃え部２９０が形成されている。
用箋揃え部２９０も、基板２２２にＵ字状の切り込みを形成し、この部分を切り起こすことにより形成される。
なお、枢支部２３４は、軸受板２２４とは反対側の端縁が、用箋揃え部２９０の軸受板２２４とは反対側の表面と同一平面（想像上）上に揃うように形成されている。
したがって、枢支部２３４の端縁がガイドとなって、用箋揃え部２９０に綴じる書類などの被綴じ物Ｘの端縁を当接させて綴じることができる。
【００４７】
このような綴じ具２２０は、たとえば基板２２２に形成された貫通孔２４４に取付用金具などを挿通することにより、ファイルなどに取り付けられる。そして、操作レバー２６０を操作することにより、綴じ部材２７０を開閉することができる。ここで、図２０に示すように、操作レバー２６０を上げることにより、ばね部材２５０の他方側２５０ｃが綴じ具２２０を持ち上げ、基板２２２と綴じ部材２７０の押圧部２７６との間に隙間が生じる。この隙間に書類などの被綴じ物Ｘが挿入され、操作レバー２６０を下げることにより、綴じ部材２７０が閉じて、押圧部２７６によって書類などの被綴じ物Ｘが基板２２２に向かって押し付けられる。つまり、操作レバー２６０を下げることにより、ばね部材２５０の巻線部２５０ａが締め付けられ、ばね部材２５０の第１端部２５０ｃによって、押圧部２７６が基板２２２方向に付勢される。
【００４８】
このとき、図３１及び３２に示すように、書類などの被綴じ物Ｘに対して、押圧部２７６が斜めに押し付けられる。そして、書類などの被綴じ物Ｘを引き抜くような力が加わったとき、押圧部２７６の傾斜方向とは逆向きの力が加わるとともに、折曲部２７４および押圧部２７６の屈曲部分をさらに屈曲させる向きの力が加わる。このような折曲部２７４および押圧部２７６の変形が元に戻ろうとする力により、押圧部２７６から書類などの被綴じ物Ｘの引き抜きに対して抵抗力となるような力が加わり、書類などの被綴じ物Ｘが綴じ具２２０から外れにくくなる。
【００４９】
さらに、押圧部２７６が折曲部２７４から基板２２２側に向かうにしたがって綴じ部材２７０の回転中心側に向かうように傾斜しているため、図３３及び３４に示すように、書類などの被綴じ物Ｘが厚くなっても、書類などの被綴じ物Ｘが薄いときと比してやや立ちぎみとはなるが、押圧部２７６は書類などの被綴じ物Ｘの面に対して直交する位置にはなりにくく、書類などの被綴じ物Ｘの抜け落ちに対する抵抗力を保つことができる。
【００５０】
この発明は、前記実施の形態にかぎらず、この発明の思想に基づき更に変更することが可能である。
このＺ式金具、すなわち綴じ具６２０は、図３５及び３６に示すようなファイル・バインダー類を構成する表紙の背表紙に沿って取り付けられる台部材たる基板６２２を含み、基板６２２の幅方向の一端側に軸受板６２４が直立して設けられている。軸受板６２４には、基板６２２に対して垂直な平面内で回動可能に、操作レバー６６０が軸支され、内側面には操作レバー６６０をロック状態にする固定用凸部６２８が突設されている。
操作レバー６６０は、軸受板６２４側の側壁に固定部たる固定用凸部６２８に係合されて、操作レバー６６０をロック状態にするための固定部たる係合孔６６６が穿設されている。
【００５１】
さらに、操作レバー６６０の回動と連動して基板６２２に対して接近離間する綴じ部材６７０が設けられる。綴じ部材６７０と操作レバー６６０との間には、操作レバー６６０を操作したときに、綴じ部材６７０を基板６２２側に付勢するためのばね部材６５０が設けられている。このばね部材６５０を挟んで両側に、クランク６９２が取り付けられる。クランク６９２は、軸受板６２４と綴じ部材６７０の間に掛け渡され、綴じ部材６７０が基板６２２に対してほぼ平行な姿勢で基板６２２に接近離間するようにしている。綴じ部材６７０は、断面略逆Ｕ字状の断面形状を有し、幅方向の両側で書類などの被綴じ物Ｘを押える構成となっている。
【００５２】
ばね部材６５０は、軸受板６２４に設けた支点軸６４６に外嵌する巻線部６５０ａの両端から延長させた入力腕たる第２端部６５０ｂ及び出力腕たる第１端部６５０ｃとからなり、前記第２端部６５０ｂを操作レバー６６０に連結すると、共に前記第１端部６５０ｃの先端から略直角に延長させた架け渡し部６５０ｅを、綴じ部材６７０に設けた長手方向に長い長孔（図示せず）に嵌入させるように形成されている。
従って、操作レバー６６０は、押し下げた後、水平移動させ、且つ、固定用凸部６２８を係合孔６６６に嵌入させると、操作レバー６６０がロックされる。このロックを解除するには、操作レバー６６０を前記とは逆方向に水平移動させればよい。
このような綴じ具６２０では、操作レバー６６０を操作することにより、綴じ部材６７０が軸受板６２４に沿って移動しながら基板６２２方向に変位し、書類などの被綴じ物Ｘを挟み込んで保持することができる
【００５３】
ばね部材６５０は、軸６４６の外周に装着され巻線部６５０ａと、前記巻線部６５０ａから綴じ部材６７０側に延びる第１端部６５０ｃと、前記巻線部６５０ａから操作部材６６０側に延びる第２端部６５０ｂとを有し、前記第１端部６５０ｃと第２端部６５０ｂとはその先端に向かうに従って、それぞれが離れる方向に向けて延びる略八の字状に形成されている。
【００５４】
基板６２２は、軸６４６の両端を軸支する軸固定部たる軸受板６２４と、前記軸受板６２４に対向して形成された軸固定部たる軸受部６３８とを有し、前記軸６４６は、その綴じ部材６７０側が操作レバー６６０の自由端より離れる方向に回転した位置において、軸受部６３８の貫通孔６４０に固定されている。
ばね部材６５０は、軸固定部たる軸受板６２４と軸受部６３８との間において、巻線部６５０ａが軸６４６の軸回りに装着され、前記第２端部６５０ｂは、操作レバー６６０の長手方向と略並行に操作レバー６６０に固定されている。
第２端部６５０ｂは、操作レバー６６０の自由端を軸６４６を枢軸として押し下げることができるように形成され、第１端部６５０ｃは、第１端部６５０ｂの押し下げに対応して、綴じ部材６７０を被綴じ物Ｘに向けて押し下げるように形成されている。
【００５５】
さらに、操作レバー６６０の第１垂直側壁６６０ａには、軸受板６２４の固定用凸部６２８に対応する位置に矩形の係合孔６６６が形成される。この係合孔６６６に固定用凸部６２８が嵌め込まれ、係合孔６６６の下端縁が６６０ａ1固定用凸部６２８の下端縁６２８ａに係合されることにより、操作レバー６６０が軸受板６２４に固定される。また、操作レバー６６０の長手方向の他端側は、幅広の操作部６６０ｃが形成され、指で操作しやすくなっている。
固定用凸部６２８は、綴じ部材６７０を被綴じ物Ｘに向けて押し下げるために操作レバー６６０の自由端を軸６４６を枢軸として降下させたとき、固定用凸部６２８の下端縁６２８ａよりもより下に一旦下降した操作レバー６６０がわずかに上昇して、係合孔６６６の下縁縁６６６ａ1が係止されるように構成されている。
なお、固定用凸部６２８は、操作レバー６６０の第１垂直側壁６６０ａ及び第２垂直側壁６６０ｂが基板６２２の表面に達する前に、操作レバー６６０の係合孔６６６から外れる幅を有している。
【００５６】
前記操作レバー６６０の操作部６６０ｃより垂直下において、操作レバー６６０を基板６２２に向けて押し下げてロックを解除するときに操作レバー６６０に接し、且つ固定用凸部６２８より外す方向に基板６２２に向けて案内する案内部７２８が形成されている。
一方、第１垂直側壁６６０ａの係合孔６６６は、その上端縁６６６ａ2が、ロック状態に係止された操作レバー６６０をロックを解除するために押し下げたとき、固定用凸部６２８の最上部７２８ａに突き当たらないで第１垂直側壁６６０ａの下端縁６６０ａ1が案内部７２８の最上部に接するように、開口されている。
【００５７】
前記案内部７２８は、前記軸６４６を固定する軸受板６２４の起立平面の内側面より突き出して設けられ、前記固定用凸部６２８の下部から基板６２２の上面に向けて傾斜し、綴じ部材６７０側に向かうに従って下がるように形成されている。
案内部７２８は、操作レバー６６０を案内部７２８に沿って摺動させて下降させたとき、第１垂直側壁６６０ａの係合孔６６６が固定用凸部６２８より外れる位置まで案内することをできるように、固定用凸部６２８の突出した幅よりも長い突出した幅を備え、稜線部が軸受板６２４から操作レバー６６０側に延びる山形の案内線部を有している。
また、案内部７２８は、固定用凸部６２８の垂直下において、操作レバー６６０の係合孔６６６の下端縁６６６ａ1と操作レバー６６０の第１垂直側壁６６０ａの下端縁６６０ａ1との間の長さよりも、より下方に下がった位置より突設されている。
そして、案内部７２８は、固定用凸部６２８から外すために、ばね部材６５０の第２端部７５０ｂの押し下げ力に抗して押し下げられ始めた操作レバー６６０を案内するために、第２端部６５０ｂを通る垂直平面に交差する方向である斜め下方に向けて突き出るように形成され、案内部７２８の下端は、基板６２２の上面に近い位置にまで達している。
【００５８】
この実施の形態においては、案内部７２８は、固定用凸部６２８と同様に、平面板状の軸受板６２４に例えばコの字型の孔を打ち抜き、コの字型の打ち抜き孔の内部を操作レバー６６０側に打ち出し、山形に成形されている。
案内部７２８は、操作レバー６６０の第１垂直側壁６６０ａの下端縁と接し案内する案内部すなわち稜線部が上方に突出した線状であるが、これに代えて摺動し易い面状の案内面部を形成してもよい。
【００５９】
その他、前記実施の形態においては、案内部は、固定部たる固定用凸部とともに軸受板に形成されたが、固定部たる固定用凸部を操作部材たる操作レバーに設け、固定用凸部を係止する係合孔を軸受板に形成してもよい。図４１において示す綴じ具８２０は、固定部たる固定用凸部８２８を操作部材たる操作レバー８６０の側壁に突設して設け、ロック状態にするために固定用凸部８２８を係止する係合孔８６６を軸受板８２４に形成されている。案内部９２８は、係合孔８６６の垂直下において、軸受板８２４に突設され、操作レバー８６０の第１垂直側壁８６０ａの下端縁が案内部９２８の上面を摺動して固定用凸部８２８の係止状態を解除して固定用凸部８２８より離れる方向で基板８２２に向けて案内する。
【００６０】
また、案内部は、固定部たる固定用凸部とともに操作部材たる操作レバーに設けてもよい。図４２において示す綴じ具１０２０は、固定部たる固定用凸部１０２８を操作レバー１０６０の側壁に突設して設け、ロック状態にするために固定用凸部１０２８を係止する係合孔１０６６を軸受板１０２４に形成するとともに、案内部１１２８は、固定用凸部１０２８の垂直下において、操作レバー１０６０の第１垂直側壁１０６０ａの下端縁に突設されている。案内部１１２８は、第１垂直側壁１０６０ａより軸受板１０２４側に向けて突き出て、その先端に向かうに従って上方に向けて上昇するように構成され、操作レバー１０６０を押し下げて、固定用凸部１０２８の上縁を係合孔１０６６の上縁より脱係し始めたとき、案内部１１２８の下面が係合孔１０６６の下縁に接し、更に操作レバー１０６０を押し下げれば案内部１１２８の下面の傾斜面に沿って摺動して、操作レバー１０６０のロックを解除できる。
【図面の簡単な説明】
【００６１】
【図１】この発明の綴じ具の一例を示す斜視図である。
【図２】図１に示す綴じ具を閉じた状態を示す斜視図である。
【図３】図１に示す綴じ具を開いた状態を示す側面図解図である。
【図４】図１に示す綴じ具を閉じた状態を示す側面図解図である。
【図５】図１に示す綴じ具の分解斜視図である。
【図６】図１に示す綴じ具の案内部を示す正断面図解図である。
【図７】図１に示す綴じ具の案内部を示す正断面図解図である。
【図８】図１に示す綴じ具の案内部を示す正断面図解図である。
【図９】図１に示す綴じ具の案内部を示す図で、（Ａ）は正断面図解図であり、（Ｂ）は平面図解図である。
【図１０】図１に示す綴じ具の押圧部の変形例を示す平面図である。
【図１１】図１に示す綴じ具の押圧部の他の変形例を示す平面図である。
【図１２】図１に示す綴じ具の押圧部のさらに他の変形例を示す平面図である。
【図１３】図１に示す綴じ具で少ない書類を綴じたときの押圧部の状態を示す図解図    である。
【図１４】図１に示す綴じ具で多い書類を綴じたときの押圧部の状態を示す図解図で    ある。
【図１５】他の押圧部を有する綴じ部材で少ない書類を綴じた状態を示す図解図であ    る。
【図１６】図１５に示す綴じ部材で多い書類を綴じた状態を示す図解図である。
【図１７】さらに他の押圧部を有する綴じ部材で多い書類を綴じた状態を示す図解図    である。
【図１８】別の押圧部を有する綴じ部材で書類を綴じた状態を示す図解図である。
【図１９】（Ａ）（Ｂ）は、綴じ部材の幅と綴じ部材が開いたときのずれとの関係を    示す図解図である。
【図２０】この発明の綴じ具の一例を示す斜視図である。
【図２１】この綴じ具を閉じた状態を示す斜視図である。
【図２２】綴じ具を開いた状態を示す側面図解図である。
【図２３】綴じ具を閉じた状態を示す側面図解図である。
【図２４】図２０に示す綴じ具の分解斜視図である。
【図２５】図２０に示す綴じ具の案内部を示す正断面図解図である。
【図２６】図２０に示す綴じ具の案内部を示す正断面図解図である。
【図２７】図２０に示す綴じ具の案内部を示す正断面図解図である。
【図２８】図２０に示す綴じ具の案内部を示す図で、（Ａ）は正断面図解図であり、（Ｂ）は平面図解図である。
【図２９】綴じ部材の正面図である。
【図３０】図２０に示す綴じ具の綴じ部材及びばね部材の作動状態を示す図解図であ    る。
【図３１】図２０に示す綴じ具の綴じ部材及びばね部材の作動状態を示す図で、（Ａ）    は正断面図解図であり、（Ｂ）は一部分の側面図解図である。
【図３２】図２０に示す綴じ具で少ない書類を綴じたときの押圧部の状態を示す図解    図である。
【図３３】図２０に示す綴じ具の綴じ部材及びばね部材の作動状態を示す図で、（Ａ）    は正断面図解図であり、（Ｂ）は一部分の側面図解図である。
【図３４】図２０に示す綴じ具で多い書類を綴じたときの押圧部の状態を示す図解図    である。
【図３５】この発明の綴じ具のさらに他の例を示す斜視図である。
【図３６】図３５に示す綴じ具の開いた状態を示す斜視図である。
【図３７】図３５に示す綴じ具の案内部を示す正断面図解図である。
【図３８】図３５に示す綴じ具の案内部を示す正断面図解図である。
【図３９】図３５に示す綴じ具の案内部を示す正断面図解図である。
【図４０】図３５に示す綴じ具の案内部を示す図で、（Ａ）は正断面図解図であり、（Ｂ）は平面図解図である。
【図４１】この発明の綴じ具のさらに他の例を示す断面図解図である。
【図４２】この発明の綴じ具のさらに他の例を示す断面図解図である。
【図４３】従来の綴じ具の例を示す図解図である。
【符号の説明】
【００６２】
２０，２２０  綴じ具
２２，２２２，６２２，  基板
２４，２２４，６２４，６２４，８２４  軸受板
２６，２２６  貫通孔
２８，２２８，６２８，８２８  固定用凸部
２８ａ，１２８ａ  最上部
２２８ａ  下端縁
３０，３４，２３０，２３４  枢支部
３２，３６，４０，２３２，２３６，２４０  貫通孔
３８，２３８  切り起こし部
４２  凸部
４４  貫通孔
４６，２４６，６４６  軸
５０，２５０，６５０  ばね部材
５０ａ，２５０ａ，６５０ａ  巻線部
５０ｂ，２５０ｂ，６５０ｂ  第２端部
５０ｃ，２５０ｃ，６５０ｃ  第１端部
５０ｄ，２５０ｄ  立ち上がり部
５０ｅ，２５０ｅ，６５０ｅ  架け渡し部
５０ｆ，２５０ｆ  係止部
６０，２６０，６６０，８６０  操作レバー
６０ａ，２６０ａ，６６０ａ  第１垂直側壁
６０ａ1，２６０ａ1  下端縁
６０ｂ  第２垂直側壁
６２，２６２  貫通孔
６４，２６４  折曲片
６６，２６６，６６６，８６６  係合孔
６６ａ1，２６６ａ1  下端縁
６６ａ2，２６６ａ2  上端縁
７０，２７０，６７０  綴じ部材
２７０ａ  立ち上がり部
２７０ｂ  架け渡し部
２７０ｃ  屈曲部
７２，２７２  突出片
７４，２７４  折曲部
７６，２７６  押圧部
７８，２７８  貫通孔
８０，２８０  リブ
９０  用箋揃え部
Ｘ  被綴じ物
１２８，３２８，７２８  案内部
【図１】
2006341567.tif 000003
【図２】
2006341567.tif 000004
【図３】
2006341567.tif 000005
【図４】
2006341567.tif 000006
【図５】
2006341567.tif 000007
【図６】
2006341567.tif 000008
【図７】
2006341567.tif 000009
【図８】
2006341567.tif 000010
【図９】
2006341567.tif 000011
【図１０】
2006341567.tif 000012
【図１１】
2006341567.tif 000013
【図１２】
2006341567.tif 000014
【図１３】
2006341567.tif 000015
【図１４】
2006341567.tif 000016
【図１５】
2006341567.tif 000017
【図１６】
2006341567.tif 000018
【図１７】
2006341567.tif 000019
【図１８】
2006341567.tif 000020
【図１９】
2006341567.tif 000021
【図２０】
2006341567.tif 000022
【図２１】
2006341567.tif 000023
【図２２】
2006341567.tif 000024
【図２３】
2006341567.tif 000025
【図２４】
2006341567.tif 000026
【図２５】
2006341567.tif 000027
【図２６】
2006341567.tif 000028
【図２７】
2006341567.tif 000029
【図２８】
2006341567.tif 000030
【図２９】
2006341567.tif 000031
【図３０】
2006341567.tif 000032
【図３１】
2006341567.tif 000033
【図３２】
2006341567.tif 000034
【図３３】
2006341567.tif 000035
【図３４】
2006341567.tif 000036
【図３５】
2006341567.tif 000037
【図３６】
2006341567.tif 000038
【図３７】
2006341567.tif 000039
【図３８】
2006341567.tif 000040
【図３９】
2006341567.tif 000041
【図４０】
2006341567.tif 000042
【図４１】
2006341567.tif 000043
【図４２】
2006341567.tif 000044
【図４３】
2006341567.tif 000045